(57)【要約】      （修正有）【課題】非常に宣伝、広告効果の高いタブレット端末付きパンフレットスタンドを提供する。【解決手段】台座１１上に支柱１３を立設した上、支柱１３の側面の上下方向に収納枠１４を多段に設けたパンフレットスタンド１０にリーフレット、パンフレット類２１を収納し、かつ支柱１３にタブレット端末１５を着脱可能に取り付け、別途設置したサーバから各タブレット端末に配信された情報を表示する。ａ．サーバから配信されたリーフレット、パンフレット類の静止画、動画が各タブレット端末において繰返し放映可能である。ｂ．タブレット端末を用いてパンフレットスタンドに収納してあるリーフレット、パンフレット類の企業検索を行うことができる。ｃ．サーバから配信されたリーフレット、パンフレット類の静止画、動画情報は所定のアプリを用いて自動的に各タブレット端末にダウンロードされ、放映枠に組み込み可能である。【選択図】図１
0003196998.tif 000002
【実用新案登録請求の範囲】
【請求項１】
台座上に支柱を立設した上、該支柱の側面の上下方向に収納枠を多段に設けたパンフレットスタンドに広告や案内用のリーフレット、パンフレット類を収納し、かつ前記パンフレットスタンドの複数の収納枠の中ほどにおいて、前記支柱にタブレット端末を着脱可能に取り付け、別途設置したサーバから各タブレット端末に情報を配信するとともに、
ａ．前記サーバから配信されたリーフレット、パンフレット類の静止画、動画を各タブレット端末において繰返し放映する。
ｂ．タブレット端末を用いて前記パンフレットスタンドに収納してあるリーフレット、パンフレット類の企業検索をする。
ｃ．前記サーバから配信されたリーフレット、パンフレット類の静止画、動画情報は所定のアプリを用いて自動的に各タブレット端末にダウンロードされ、放映枠に組み込む。
ようにしたことを特徴とするタブレット端末付きパンフレットスタンド。
【請求項２】
前記タブレット端末は、サーバからのデータ配信を無線で受信できる受信機能を備えるようにしたことを特徴とする請求項１に記載のタブレット端末付きパンフレットスタンド。
【請求項３】
前記タブレット端末は、前記パンフレットスタンドの収納枠の厚さ以内の厚さに構成されていることを特徴とする請求項１または２に記載のタブレット端末付きパンフレットスタンド。
【請求項４】
前記タブレット端末は、人感センサを取り付けてあり、人の接近を感知した時にのみ作動するようにしてあることを特徴とする請求項１ないし３のいずれかに記載のタブレット端末付きパンフレットスタンド。
【考案の詳細な説明】
【技術分野】
【０００１】
この考案は、銀行の窓口、駅の発券売場、飲食店等の飲食に関係する施設、デパートやスーパー、コンビニ等の商業施設や各種の公共機関の窓口等の、人の集まる場所に設置するのに適したタブレット端末付きパンフレットスタンドに関する。
【背景技術】
【０００２】
従来、銀行の窓口、駅の発券売場、飲食店等の飲食に関係する施設、デパートやスーパー、コンビニ等の商業施設や各種の公共機関の窓口等において、手続や購入等の目的で種々のパンフレットスタンドが設置され、多数のリーフレット、パンフレット類が並べて配置されていて、自由に手に取ることができるようになっている。
【０００３】
またこのようなパンフレットスタンドに、特開平７−１１６０４４号公報（特許文献１参照）のようにパンフレットボックスの側面に表示部を設けたり、実開平１−１５７３８９号公報（特許文献２参照）のようにパンフレット載置部にテレビ受像機を組込むようにしたものが提案されている。
【先行技術文献】
【特許文献】
【０００４】
【特許文献１】特開平７−１１６０４４号公報
【特許文献２】実開平１−１５７３８９号公報
【考案の概要】
【考案が解決しようとする課題】
【０００５】
しかしながら、いずれも横幅のある大型のパンフレットスタンドであるため、逆に設置できる場所が限られてしまったり、テレビ受像機を組込んだものにおいてはテレビ番組通りに受信された映像を流すだけであって、パンフレットスタンドに収納されたリーフレット、パンフレット類との関連がほとんどなく、周りの人が漫然とテレビ番組等を視聴するだけであった。
【０００６】
そこでこの考案は、狭い場所でも無理なく設置することができ、しかもパンフレットスタンドに取り付けたタブレット端末で視聴できる静止画や動画をパンフレットスタンドに収納されたリーフレット、パンフレット類と関連付けて提供することができるため、非常に宣伝、広告効果の高いタブレット端末付きパンフレットスタンドを提供しようとするものである。
【課題を解決するための手段】
【０００７】
すなわちこの考案のタブレット端末付きパンフレットスタンドは、台座上に支柱を立設した上、該支柱の側面の上下方向に収納枠を多段に設けたパンフレットスタンドに広告や案内用のリーフレット、パンフレット類を収納し、かつ前記パンフレットスタンドの複数の収納枠の中ほどにおいて、前記支柱にタブレット端末を着脱可能に取り付け、別途設置したサーバから各タブレット端末に情報を配信するとともに、
ａ．前記サーバから配信されたリーフレット、パンフレット類の静止画、動画を各タブレット端末において繰返し放映する。
ｂ．タブレット端末を用いて前記パンフレットスタンドに収納してあるリーフレット、パンフレット類の企業検索をする。
ｃ．前記サーバから配信されたリーフレット、パンフレット類の静止画、動画情報は所定のアプリを用いて自動的に各タブレット端末にダウンロードされ、放映枠に組み込む。
ようにしたことを特徴とするものである。
【０００８】
この考案のタブレット端末付きパンフレットスタンドにおいて、前記タブレット端末は、サーバからのデータ配信を無線で受信できる受信機能を備えるようにしたことをも特徴とするものである。
【０００９】
この考案のタブレット端末付きパンフレットスタンドにおいて、前記タブレット端末は、前記パンフレットスタンドの収納枠の厚さ以内の厚さに構成されていることをも特徴とするものである。
【００１０】
この考案のタブレット端末付きパンフレットスタンドにおいて、前記タブレット端末は、人感センサを取り付けてあり、人の接近を感知した時にのみ作動するようにしてあることをも特徴とするものである。
【考案の効果】
【００１１】
この考案のタブレット端末付きパンフレットスタンドによれば以下のような効果を得ることができる。
Ａ．支柱にリーフレット、パンフレット類の収納枠を多段に設けたので、狭い空間にも設置することができ、ほとんど場所を選ばないタブレット端末付きパンフレットスタンドを提供することができる。
Ｂ．訴求力のある動画での広告が可能である。
イ．前記サーバから配信されたリーフレット、パンフレット類の静止画、動画を各タブレット端末において繰返し放映することができる。
ロ．タブレット端末を用いて前記パンフレットスタンドに収納してあるリーフレット、パンフレット類の企業検索をすることができる。
ハ．前記サーバから配信されたリーフレット、パンフレット類の静止画、動画情報は所定のアプリを用いて自動的に各タブレット端末にダウンロードされ、放映枠に組み込むことができる。
Ｃ．したがって、設置店の広告のみならず、種々の企業のスポット広告をも提供することができる。
Ｄ．タブレット端末を備えたことにより、月単位、年単位でリーフレット、パンフレット類の収納枠の使用権を設定し、販売することができる。
Ｅ．前記使用権の設定により、設置場所に設置費を支払うことが可能となり、広告主と設置店の双方にメリットのあるシステムを構築することができる。
【図面の簡単な説明】
【００１２】
【図１】この考案のタブレット端末付きパンフレットスタンドの１実施例を示す概略斜視図である。
【図２】タブレット端末とサーバとのデータ配信の関係を示す概略図である。
【図３】タブレット端末付きパンフレットスタンドを設置場所に提供する仕組みを示す概略図である。
【考案を実施するための最良の形態】
【００１３】
以下この考案のタブレット端末付きパンフレットスタンドの実施の形態を、図面に基いて詳細に説明する。
この考案のタブレット端末付きパンフレットスタンドの１実施例を示す図１において、タブレット端末付きパンフレットスタンド１０は、縦横に金属製の角棒を連結した台座１１上に、連結板１２を介して角棒状の支柱１３を立設した上、該支柱１３の側面の上下方向に金属フレーム等からなる収納枠１４を多段に設けたものである。
そして該パンフレットスタンド１０の前記収納枠１４に、それぞれ広告や案内用のリーフレット、パンフレット類２１を収納してある。
【００１４】
また、前記パンフレットスタンド１０の複数の収納枠１４の中ほどには、前記支柱１３にタブレット端末１５を保持枠１６を介して着脱可能に取り付けてある。１７は前記タブレット端末１５上に付設したライトであり、適宜その向きを上下に変えることができるようになっている。
【００１５】
前記タブレット端末１５は、前記パンフレットスタンド１０に組み付けた収納枠１４の厚さ以内の厚さに収まるよう構成されている。こうすることによって、狭い空間にも設置することができ、ほとんど場所を選ばないタブレット端末付きパンフレットスタンドを提供できるという作用効果が発揮できるのである。
【００１６】
もちろん、前記タブレット端末１５には、人感センサ（図示せず）を取り付けておき、人の接近を感知した時にのみ作動するようにすることが望ましい。それによってより省電力の構成とすることができる。
【００１７】
図２は各タブレット端末１５とサーバ３１とのデータ配信の関係を示すものである。複数のタブレット端末１５は無線ＬＡＮ等でサーバ３１に接続されており、サーバ３１から各タブレット端末１５にリーフレット、パンフレット類の静止画、動画が配信される。
【００１８】
その手順や作用は下記の通りである。
＜データ配信と放映＞
前記サーバ３１から配信されたリーフレット、パンフレット類の静止画、動画を各タブレット端末１５において、例えば１枠１５秒を目安として繰返し放映する。他社、あるいは設置場所のスポット宣伝も同様のやり方で行うことができる。
【００１９】
＜企業検索＞
前記タブレット端末１５に内蔵したタッチパネルを用いて、前記パンフレットスタンド１０に収納してあるリーフレット、パンフレット類の企業検索を行うことがでる。
【００２０】
＜専用アプリ＞
前記サーバ３１から配信されたリーフレット、パンフレット類の静止画、動画情報は、専用のアプリを用いて自動的に各タブレット端末１５にダウンロードされ、放映枠に組み込む。
【００２１】
図３にタブレット端末付きパンフレットスタンドを設置場所に提供する仕組みを示す。
ＡＤ＋ＳＴＯＲＥ  Ｐｒｏｊｅｃｔの枠において、企画立案・進行担当が全体の企画立案を担当する。
そして、回線担当（発売元）はサーバとタブレット端末との間の配信を行う回線を提供する。
次に、タブレット端末担当（製造元）には、アセンブリやソフトウエア・基盤、スタンド（機構部分）のみならず、包材関係も含まれている。
さらに、タブレット端末担当（配信・印刷物）には、サーバ管理・配信や製造制作、印刷物等の提供が含まれる。タブレット端末担当は製造したタブレット端末付きパンフレットスタンドを回線担当（発売元）に供給し、回線担当（発売元）が下記エリア営業機関に供給する。
【００２２】
エリア営業機関の枠において、本システムで募集した加盟企業が、パンフレットスタンドの利用者に対する営業を行う。
スタンド利用者の例を挙げると以下の通りである。
建築、建設、水道設備、電気設備、ガラス設置、ビルや家屋の内装、清掃、害虫駆除、ペット関連、不動産、学習塾、イベント関係など。
【００２３】
設置場所の枠において、設置場所を例示すると以下の通りである。
飲食店、高速飲食店（サービスエリア・パーキングエリア）、学食・社食、テイクアウト弁当、デパート、スーパー、コンビニ、ホームセンター、ドラッグストア、公共機関、交通機関待合所、病院等待合所、イベント会場など。
前記エリア営業機関は各種の設置場所に設置する。
【００２４】
タブレット端末がＯＮ状態になると、タブレット端末担当（配信・印刷物）がサーバとタブレット端末との間の配信を行い、各種の設置場所の利用者は映像の視聴やタブレット端末を操作して企業検索を行うことができる。
【産業上の利用可能性】
【００２５】
この考案のタブレット端末付きパンフレットスタンドは、上記設置場所以外の種々の場所にも設置して使用することができる。
【符号の説明】
【００２６】
１０  タブレット端末付きパンフレットスタンド
１１  台座
１２  連結板
１３  支柱
１４  収納枠
１５  タブレット端末
１６  保持枠
１７  ライト
２１  リーフレット、パンフレット類
３１  サーバ
【図１】
0003196998.tif 000003
【図２】
0003196998.tif 000004
【図３】
0003196998.tif 000005
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
台座上に支柱を立設した上、該支柱の側面の上下方向に収納枠を多段に設けたパンフレットスタンドに広告や案内用のリーフレット、パンフレット類を収納し、かつ前記パンフレットスタンドの複数の収納枠の中ほどにおいて、前記支柱に着脱可能に取り付けられ、かつ別途設置したサーバから配信された情報を表示するタブレット端末を備え、
該タブレット端末は、
ａ．前記サーバから配信されたリーフレット、パンフレット類の静止画、動画が繰返し放映可能である、
ｂ．内蔵したタッチパネルを用いて、前記パンフレットスタンドに収納してあるリーフレット、パンフレット類の企業検索を行うことができる、
ｃ．前記サーバから配信されたリーフレット、パンフレット類の静止画、動画情報が所定のアプリを用いて自動的にダウンロード、かつ放映枠に組み込み可能である、
ａ〜ｃの構成からなることを特徴とするタブレット端末付きパンフレットスタンド。
【請求項２】
前記タブレット端末は、サーバからのデータ配信を受信する無線受信装置を備えるようにしたことを特徴とする請求項１に記載のタブレット端末付きパンフレットスタンド。
【請求項３】
前記タブレット端末は、前記パンフレットスタンドの収納枠の厚さ以内の厚さに構成されていることを特徴とする請求項１または２に記載のタブレット端末付きパンフレットスタンド。
【請求項４】
前記タブレット端末は、人感センサを取り付けてあり、人の接近を感知した時にのみ作動するようにしてあることを特徴とする請求項１ないし３のいずれかに記載のタブレット端末付きパンフレットスタンド。
【手続補正２】
【補正対象書類名】明細書
【補正対象項目名】全文
【補正方法】変更
【補正の内容】
【考案の詳細な説明】
【技術分野】
【０００１】
この考案は、銀行の窓口、駅の発券売場、飲食店等の飲食に関係する施設、デパートやスーパー、コンビニ等の商業施設や各種の公共機関の窓口等の、人の集まる場所に設置するのに適したタブレット端末付きパンフレットスタンドに関する。
【背景技術】
【０００２】
従来、銀行の窓口、駅の発券売場、飲食店等の飲食に関係する施設、デパートやスーパー、コンビニ等の商業施設や各種の公共機関の窓口等において、手続や購入等の目的で種々のパンフレットスタンドが設置され、多数のリーフレット、パンフレット類が並べて配置されていて、自由に手に取ることができるようになっている。
【０００３】
またこのようなパンフレットスタンドに、特開平７−１１６０４４号公報（特許文献１参照）のようにパンフレットボックスの側面に表示部を設けたり、実開平１−１５７３８９号公報（特許文献２参照）のようにパンフレット載置部にテレビ受像機を組込むようにしたものが提案されている。
【先行技術文献】
【特許文献】
【０００４】
【特許文献１】特開平７−１１６０４４号公報
【特許文献２】実開平１−１５７３８９号公報
【考案の概要】
【考案が解決しようとする課題】
【０００５】
しかしながら、いずれも横幅のある大型のパンフレットスタンドであるため、逆に設置できる場所が限られてしまったり、テレビ受像機を組込んだものにおいてはテレビ番組通りに受信された映像を流すだけであって、パンフレットスタンドに収納されたリーフレット、パンフレット類との関連がほとんどなく、周りの人が漫然とテレビ番組等を視聴するだけであった。
【０００６】
そこでこの考案は、狭い場所でも無理なく設置することができ、しかもパンフレットスタンドに取り付けたタブレット端末で視聴できる静止画や動画をパンフレットスタンドに収納されたリーフレット、パンフレット類と関連付けて提供することができるため、非常に宣伝、広告効果の高いタブレット端末付きパンフレットスタンドを提供しようとするものである。
【課題を解決するための手段】
【０００７】
すなわちこの考案のタブレット端末付きパンフレットスタンドは、台座上に支柱を立設した上、該支柱の側面の上下方向に収納枠を多段に設けたパンフレットスタンドに広告や案内用のリーフレット、パンフレット類を収納し、かつ前記パンフレットスタンドの複数の収納枠の中ほどにおいて、前記支柱に着脱可能に取り付けられ、かつ別途設置したサーバから配信された情報を表示するタブレット端末を備え、
該タブレット端末は、
ａ．前記サーバから配信されたリーフレット、パンフレット類の静止画、動画が繰返し放映可能である、
ｂ．内蔵したタッチパネルを用いて、前記パンフレットスタンドに収納してあるリーフレット、パンフレット類の企業検索を行うことができる、
ｃ．前記サーバから配信されたリーフレット、パンフレット類の静止画、動画情報が所定のアプリを用いて自動的にダウンロード、かつ放映枠に組み込み可能である、
ａ〜ｃの構成からなることを特徴とするものである。
【０００８】
この考案のタブレット端末付きパンフレットスタンドにおいて、前記タブレット端末は、サーバからのデータ配信を受信する無線受信装置を備えるようにしたことをも特徴とするものである。
【０００９】
この考案のタブレット端末付きパンフレットスタンドにおいて、前記タブレット端末は、前記パンフレットスタンドの収納枠の厚さ以内の厚さに構成されていることをも特徴とするものである。
【００１０】
この考案のタブレット端末付きパンフレットスタンドにおいて、前記タブレット端末は、人感センサを取り付けてあり、人の接近を感知した時にのみ作動するようにしてあることをも特徴とするものである。
【考案の効果】
【００１１】
この考案のタブレット端末付きパンフレットスタンドによれば以下のような効果を得ることができる。
Ａ．支柱にリーフレット、パンフレット類の収納枠を多段に設けたので、狭い空間にも設置することができ、ほとんど場所を選ばないタブレット端末付きパンフレットスタンドを提供することができる。
Ｂ．訴求力のある動画での広告が可能である。
イ．前記サーバから配信されたリーフレット、パンフレット類の静止画、動画をタブレット端末において繰返し放映することができる。
ロ．タブレット端末を用いて前記パンフレットスタンドに収納してあるリーフレット、パンフレット類の企業検索をすることができる。
ハ．前記サーバから配信されたリーフレット、パンフレット類の静止画、動画情報は所定のアプリを用いて自動的にタブレット端末にダウンロードされ、放映枠に組み込むことができる。
Ｃ．したがって、設置店の広告のみならず、種々の企業のスポット広告をも提供することができる。
Ｄ．タブレット端末を備えたことにより、月単位、年単位でリーフレット、パンフレット類の収納枠の使用権を設定し、販売することができる。
Ｅ．前記使用権の設定により、設置場所に設置費を支払うことが可能となり、広告主と設置店の双方にメリットのあるシステムを構築することができる。
【図面の簡単な説明】
【００１２】
【図１】この考案のタブレット端末付きパンフレットスタンドの１実施例を示す概略斜視図である。
【図２】タブレット端末とサーバとのデータ配信の関係を示す概略図である。
【図３】タブレット端末付きパンフレットスタンドを設置場所に提供する仕組みを示す概略図である。
【考案を実施するための最良の形態】
【００１３】
以下この考案のタブレット端末付きパンフレットスタンドの実施の形態を、図面に基いて詳細に説明する。
この考案のタブレット端末付きパンフレットスタンドの１実施例を示す図１において、タブレット端末付きパンフレットスタンド１０は、縦横に金属製の角棒を連結した台座１１上に、連結板１２を介して角棒状の支柱１３を立設した上、該支柱１３の側面の上下方向に金属フレーム等からなる収納枠１４を多段に設けたものである。
そして該パンフレットスタンド１０の前記収納枠１４に、それぞれ広告や案内用のリーフレット、パンフレット類２１を収納してある。
【００１４】
また、前記パンフレットスタンド１０の複数の収納枠１４の中ほどには、前記支柱１３にタブレット端末１５を保持枠１６を介して着脱可能に取り付けてある。１７は前記タブレット端末１５上に付設したライトであり、適宜その向きを上下に変えることができるようになっている。
【００１５】
前記タブレット端末１５は、望ましくは前記パンフレットスタンド１０に組み付けた収納枠１４の厚さ以内の厚さに収まるよう構成されている。こうすることによって、狭い空間にも設置することができ、ほとんど場所を選ばないタブレット端末付きパンフレットスタンドを提供できるという作用効果が発揮できるのである。
【００１６】
もちろん、前記タブレット端末１５には、人感センサ（図示せず）を取り付けておき、人の接近を感知した時にのみ作動するようにすることが望ましい。それによってより省電力の構成とすることができる。
【００１７】
図２はタブレット端末１５とサーバ３１とのデータ配信の関係を示すものである。複数のタブレット端末１５は無線ＬＡＮ等の無線受信装置を介してサーバ３１に接続されており、サーバ３１からタブレット端末１５にリーフレット、パンフレット類の静止画、動画が配信される。
【００１８】
その手順や作用は下記の通りである。
＜データ配信と放映＞
前記サーバ３１から配信されたリーフレット、パンフレット類の静止画、動画をタブレット端末１５において、例えば１枠１５秒を目安として繰返し放映する。他社、あるいは設置場所のスポット宣伝も同様のやり方で行うことができる。
【００１９】
＜企業検索＞
前記タブレット端末１５に内蔵したタッチパネルを用いて、前記パンフレットスタンド１０に収納してあるリーフレット、パンフレット類の企業検索を行うことがでる。
【００２０】
＜専用アプリ＞
前記サーバ３１から配信されたリーフレット、パンフレット類の静止画、動画情報は、専用のアプリを用いて自動的にタブレット端末１５にダウンロードされ、放映枠に組み込む。
【００２１】
図３にタブレット端末付きパンフレットスタンドを設置場所に提供する仕組みを示す。
ＡＤ＋ＳＴＯＲＥ  Ｐｒｏｊｅｃｔの枠において、企画立案・進行担当が全体の企画立案を担当する。
そして、回線担当（発売元）はサーバとタブレット端末との間の配信を行う回線を提供する。
次に、タブレット端末担当（製造元）には、アセンブリやソフトウエア・基盤、スタンド（機構部分）のみならず、包材関係も含まれている。
さらに、タブレット端末担当（配信・印刷物）には、サーバ管理・配信や製造制作、印刷物等の提供が含まれる。タブレット端末担当は製造したタブレット端末付きパンフレットスタンドを回線担当（発売元）に供給し、回線担当（発売元）が下記エリア営業機関に供給する。
【００２２】
エリア営業機関の枠において、本システムで募集した加盟企業が、パンフレットスタンドの利用者に対する営業を行う。
スタンド利用者の例を挙げると以下の通りである。
建築、建設、水道設備、電気設備、ガラス設置、ビルや家屋の内装、清掃、害虫駆除、ペット関連、不動産、学習塾、イベント関係など。
【００２３】
設置場所の枠において、設置場所を例示すると以下の通りである。
飲食店、高速飲食店（サービスエリア・パーキングエリア）、学食・社食、テイクアウト弁当、デパート、スーパー、コンビニ、ホームセンター、ドラッグストア、公共機関、交通機関待合所、病院等待合所、イベント会場など。
前記エリア営業機関は各種の設置場所に設置する。
【００２４】
タブレット端末がＯＮ状態になると、タブレット端末担当（配信・印刷物）がサーバとタブレット端末との間の配信を行い、各種の設置場所の利用者は映像の視聴やタブレット端末を操作して企業検索を行うことができる。
【産業上の利用可能性】
【００２５】
この考案のタブレット端末付きパンフレットスタンドは、上記設置場所以外の種々の場所にも設置して使用することができる。
【符号の説明】
【００２６】
１０  タブレット端末付きパンフレットスタンド
１１  台座
１２  連結板
１３  支柱
１４  収納枠
１５  タブレット端末
１６  保持枠
１７  ライト
２１  リーフレット、パンフレット類
３１  サーバ